(57)【要約】【課題】互いに連結された多数の包袋を有するファイルフォルダを提供すること。【解決手段】ファイルホルダは、補強された容器と、容器のカバーと本体との間の係合を確実にするための施錠機構と、容器内に可動に受け入れられた第１の包袋と、容器内に可動に受け入れられた複数の第２の包袋であってこれらのうちの最後のものと確実に係合した補強ボードの移動が容器からの全ての第２の包袋を引き出すことを可能とする第２の包袋とを含む。【選択図】図１
0003115383.tif 000002
【実用新案登録請求の範囲】
【請求項１】
補強された容器（１）であって該容器の開口を選択的に閉じるためのカバー（１１）を有する容器（１）と、
前記カバー（１１）と前記容器（１）の本体との間の係合を確実にするための前記容器に据え付けられた施錠機構（６）と、
前記容器（１）の内部側面に取り付けられた第１の包袋（２）と、
前記容器（１）の内部に確実にしかし可動に受け入れられた複数の第２の包袋（３）と、
補強されたボード（５）であって、該ボードの移動が全ての前記第２の包袋を下向きにして引き出すことが可能であるように、前記容器（１）の内部に可動に受け入れられかつ前記第２の包袋（３）のうちの最後の第２の包袋（３）の後部側面に取り付けられたボード（５）とを含む、ファイルホルダ。
【請求項２】
各第２の包袋（３）と前記第１の包袋（２）とは、これらの包袋（２，３）の内部に収容された書類の特定を容易にするためのタグを受け入れるためにこれらの包袋の頂面に規定されたタグ受け入れ空間（２１，３１）を有し、
前記ボード（５）はその頂面に形成されたタブ（５１）を有し、これにより前記ボード（５）のタブ（５１）を引いて前記容器（１）の内部から第２の包袋（３）の全てを引き上げることが可能であり、
前記施錠機構（６）は、前記容器（１）のカバー（１１）に据え付けられた舌部（６１）であって前記舌部（６）から伸び、また鍵穴（６１２）が設けられた突起（６１１）を有する舌部（６１）と、前記容器（１）の前部側面に据え付けられ、貫通穴（６２１）を有するハウジング（６２）と、
前記ハウジング（６２）内に可動に受け入れられた弾性部材（６３）であって指部（６３１）を有し、前記鍵穴（６１２）が前記貫通穴（６２１）と整合した後に前記カバー（１１）と前記容器（１）の本体との間の係合を確実にするように前記指部（６３１）が前記ハウジング（６２）の貫通穴（６２１）と前記突起（６１１）の鍵穴（６１２）内に伸張可能である、弾性部材（６３）とを備える、請求項１に記載のファイルホルダ。
【請求項３】
さらに、複数の隆起部（４１）及び窪み部（４２）を有するアタッチメントを含み、前記隆起部（４１）は最前方の隆起部と複数の第２の隆起部とに分けられ、前記最前方の隆起部は前記容器（１）の内部側面に確実に接続され、また前記第２の隆起部はそれぞれ前記第１の包袋（２）の後部側面と前記第２の包袋（３）の対応する一つとに取り付けられている、請求項１または２に記載のファイルホルダ。
【考案の詳細な説明】
【技術分野】
【０００１】
本考案は、ファイルフォルダ、特に互いに連続的に接続された包袋を有するファイルフォルダに関する。
【背景技術】
【０００２】
ファイルフォルダは、通常、ファイルを受け入れかつ収容するための区画に前記フォルダの内部を分けるための隔壁を有する。従来のファイルフォルダが図７、図８及び図９に示されている。このファイルフォルダには主ポケット７と、互いに及び主ポケット７に連結された複数の補助ポケット８とを有する。主ポケット７は、開口７０と、主ポケット７の後部側面から折り畳み可能に伸びるカバー７２と、主ポケット７の前部側面に打ち抜かれた舌部７３と、主ポケット７の後部側面に形成された弾性リング７４と、カバー７２の前面に形成された突起部７５と、主ポケット７の前部側面に形成された第１のスリット７６とが設けられている。
【０００３】
各補助ポケット８は互いに連結され、開口８０と、補助ポケット８の後部側面から折り畳み可能に伸びまた打ち抜きにより形成された取付部８２１を有するフラップ８２と、補助ポケット８の前部側面に打ち抜かれた２つの舌部８３と、補助ポケット８の後部側面に並列に形成されたスリット８４１及び穴８４２の組み合わせと、２つの舌部８３間に形成された第２のスリット８５とを備える。
【０００４】
前記従来のファイルフォルダの組み立てに際し、各補助ポケット８のフラップ８２がその前の補助ポケット８の開口８０に受け入れられ、また、取付部８２１がその前の補助ポケット８の対応する第２のスリット８５に挿入される。次いで、最後の補助ポケット８のフラップ８２が主ポケット７の開口７０に挿入され、取付部８２１が主ポケット７の第１のスリット７６に挿入される。さらに、主ポケット７の２つの舌部７３が最後のポケット８の対応する穴８４２を通して挿入され、次いでスリット８４１に挿入され、各補助ポケット８の舌部８３がその前方にある補助ポケット８の対応する穴８４２とスリット８４１とに挿入される。したがって、補助ポケット８が相互に連結され、最後の補助ポケット８が取付部８２１の主ポケット７の第１のスリット７６への挿入により主ポケット７に取り外し可能に連結され、前記従来のファイルフォルダの使用準備が整う。
【０００５】
図７及び図８に示すように、弾性リング７４が突起部７５との係合を解除された後は、補助ポケット８が主ポケット７から連続的に解放される。しかし、舌部８３とスリット及び穴の組み合せ８４との間の相互連結、並びに最後の補助ポケット８の前記組み合せにおける舌部７３のため、補助ポケット８は互いに他の一方にぶら下がろうとする。その結果、多数枚の紙が任意の補助ポケット８に挿入されるとき、補助ポケット８は変形し、前記補助ポケット内に収容された書類はそこから落下する。
【考案の開示】
【考案が解決しようとする課題】
【０００６】
このような欠点を除去するため、本考案は、前記した問題を緩和する改良されたファイルフォルダを提供することを企図する。
【０００７】
本考案の主な目的は、互いに連結された多数の包袋を有するファイルフォルダを提供することにある。
【課題を解決するための手段】
【０００８】
本考案の一の面において、本考案のファイルフォルダは１つの容器と、複数の包袋であってこれらの補助包袋のそれぞれの底部側面でアタッチメントを介して互いに連結されかつ前記容器内に受け入れられた複数の包袋とを有する
【０００９】
また、本考案の他の面において、前記アタッチメントには複数の隆起部と窪み部とが設けられており、前記隆起部は最前方の隆起部と第２の隆起部とに分かれている。前記最前方の隆起部は前記容器の内部を規定する側面に取り付けられ、また各第２の隆起部は第２の包袋の対応する一つの後部側面に取り付けられており、これにより前記第２の包袋が前記容器から引張られるとき、前記アタッチメントが前記第２の包袋が前記容器に取り付けられ続けるように維持し、また前記第２の包袋を下向き状態であり続けるようにするのに役立つ。
【００１０】
本考案のさらなる面は、施錠機構が前記容器に設けられ、これによりユーザが前記容器の中に前記第２の包袋を確保するように前記施錠機構を使用することができる。
【００１１】
本考案の他の目的、利点及び新規な特徴は添付図面を参照しての以下の詳細な説明からより明らかとなろう。
【考案を実施するための最良の形態】
【００１２】
図１及び図２を参照すると、本考案に係るファイルフォルダが容器１と、該容器内にそれぞれ受け入れられた複数の包袋とを含む。これらの包袋は第１の包袋２と第２の包袋３とに分かれている。
【００１３】
容器１は強化プラスチックにより形成されており、開口１０と、該開口を規定する側面に折り畳み可能に連結されたカバー１１と、該カバー及び前記容器の前部側面に形成された施錠機構６とを含む。
【００１４】
図２を用いて図３を参照すると、第１の包袋２及び各第２の包袋３が少なくとも１つの開口２０，３０（２つの開口はこの好ましい実施例において示されている。）と、タグ受け入れ空間２１，３１であって第１の包袋２又は第２の包袋３に受け入れられた書類の特定を容易にするためのタグ（図示せず）をここに受け入れるタグ受け入れ空間２１，３１とを有する。
【００１５】
アタッチメント４が第１の包袋２と各第２の包袋３とに設けられている。アタッチメント４は、複数の隆起部４１と複数の窪み部４２とを有するように緩やかに起伏している。補強ボード５が第２の包袋３の最後の一つに設けられ、またその頂部縁から伸びるタブ５１を有する。補強ボード５は、最後の第２の包袋３の後部側面に取り付けられている。
【００１６】
図３及び図６を用いて図４を参照すると、隆起部４１が一つの最前方の隆起部と複数の第２の隆起部とに分かれている。前記最前方の隆起部は容器１の内部を規定する側面に取り付けられており、また第２の隆起部のそれぞれは第１の包袋２の後部側面と対応する第２の包袋３の後部側面とに取り付けられており、これにより、強化ボード５のタブ５１を介して引くことにより前記第２の包袋が容器１から引かれるとき、アタッチメント４は、第２の包袋３及び第１の包袋２が容器１に取り付けられ続けかつ前記第２の包袋が下向きの状態であり続けるようにすることに役立つ。
【００１７】
図５を参照すると、本考案のファイルホルダは、さらに、カバー１１と容器１の本体との確実な係合を得るための施錠機構６を有する。施錠機構６はＬ形の舌部６１と、ハウジング６２と、弾性部材６３とを含む。
【００１８】
舌部６１は該舌部から伸びる突起６１１を有し、また突起６１１を経て規定された鍵穴６１２を有する。ハウジング６２には、舌部６１の突起に対応する貫通穴６２１と、ハウジング６２の内部の２つの相対する側部にそれぞれ形成された２つの止め部６２２とが設けられている。弾性部材６３はハウジング６２の内部に受け入れられ、弾性部材６３にはハウジング６２の貫通穴６２１に伸びる指部６３１と、前記弾性部材の２つの相対する側部からそれぞれ伸び、ハウジング６２の底部側面に近接する２つの腕部６３２とが設けられている。本考案の施錠機構６が組み立てられるとき、２つの腕部６３２がそれぞれ２つの止め部６２２に隣接しかつ指部６３１がハウジング６２の貫通穴６２１内に伸びるように弾性部材６３がハウジング６２内に受け入れられた後、ハウジング６２が容器１の本体の前部側面の外部側面に取り付けられる。次いで、舌部６１がカバー１１の外部側面上に取り付けられた後、突起６１１が貫通穴６２１内に挿入可能にされる。突起６１１が貫通穴６２１に挿入された後、指部６３１が先ず貫通穴６２１から離れるように押され、さらにハウジング６２内に至る。しかし、鍵穴６１２が貫通穴６２１と整合した後、貫通穴６２１から指部６３１を押し出すものはないため、カバー１１から容器１の開口１０までの囲いを確実にするために指部６３１が舌部６１の鍵穴６１２内へ伸びることができるように、指部６３１は２つのアーム部６３２からの復帰力により貫通穴６２１へ戻る。
【００１９】
前記した説明から、本考案のファイルホルダは、強化プラスチック製の容器１の閉じ込めのために整然とした状態で書類を収容することができる。また、第１の包袋２及び第２の包袋３の頂部上のタグ受け入れ空間２１，３１を利用して第１の包袋２及び第２の包袋３を容器１から連続的に引き出した後、ユーザは前記書類をはっきりと見てその位置を確認することができる。さらに、第１の包袋２がアタッチメント４の第１の隆起部により容器１の底面にしっかりと取り付けられかつ最後の第２の包袋３が容器１の後部側面に関してなお可動であるようにしっかりと取り付けられているため、本考案のファイルホルダは容器１内に収容された全ての書類を表に出すのに便利である。
【００２０】
しかし、本考案の数多くの特徴及び利点を本考案の構造及び作用の詳細を先に説明したが、この開示は例示のみであり、特に実用新案登録請求の範囲に表された用語の広い一般的な意味により指摘された範囲まで部品の形状、寸法及び配置の事項について、変更がより詳細になされ得ることは理解されよう。
【図面の簡単な説明】
【００２１】
【図１】本考案に係る閉じた状態のファイルホルダの斜視図である。
【図２】本考案のファイルホルダの部分的に分解した斜視図である。
【図３】第２の包袋及びアタッチメントの構造を示す分解斜視図である。
【図４】ファイルホルダがその中にコンパクトディスクを受け入れるために用いられていることを示す斜視図である。
【図５】本考案の施錠機構を示す、開状態における容器の斜視図である。
【図６】容器の内部のアタッチメントの配列を示す概略的な側面図である。
【図７】開状態にある従来のファイルホルダを示す斜視図である。
【図８】従来のファイルホルダの分解斜視図である。
【図９】弾性リングが突起部に係合された後、第２のポケットが主ポケットの内部に受け入れられていることを示す斜視図である。
【符号の説明】
【００２２】
１  補強容器
２  第１の包袋
３  第２の包袋
５  補強ボード
６  施錠機構
１１  カバー
【図１】
0003115383.tif 000003
【図２】
0003115383.tif 000004
【図３】
0003115383.tif 000005
【図４】
0003115383.tif 000006
【図５】
0003115383.tif 000007
【図６】
0003115383.tif 000008
【図７】
0003115383.tif 000009
【図８】
0003115383.tif 000010
【図９】
0003115383.tif 000011